(57)【要約】      （修正有）【課題】作業中においてもＧＰＳデータの受信状態を確認できるＧＰＳ受信通知装置の提供を目的とする。【解決手段】制御マイコン２１は、ＧＰＳ受信部１２から受信したＧＰＳデータから測位状態情報を取り出して受信状態検出部２３に送信し、受信状態検出部２３は、測位状態情報から検出したＧＰＳデータの受信状態に応じた通知信号を作成して、通知手段選択部２４に送信し、通知手段選択部２４は、通知部１３の任意の通知手段を選択し、通知部１３の選択された任意の通知手段は、通知信号を受信して、ＧＰＳデータの受信状態を通知する。【選択図】図１ａ
2007170974.tif 000002
【特許請求の範囲】
【請求項１】
携帯無線機と、前記携帯無線機に接続されるＧＰＳスピーカーマイクとにより、前記携帯無線機の位置を基地局へ知らせる無線システムにおけるＧＰＳ受信通知装置であって、
前記携帯無線機は、送受信部と制御マイコンと受信状態検出部と通知手段選択部とを有し、
前記ＧＰＳスピーカーマイクは、ＧＰＳアンテナとＧＰＳ受信機と通知部と前記通知部に含まれるスピーカーとマイクとを有し、
前記制御マイコンは、前記ＧＰＳ受信部から受信したＧＰＳデータを基に、測位状態情報を取り出して前記受信状態検出部に送信し、
前記受信状態検出部は、前記測位状態情報から検出した前記ＧＰＳデータの受信状態に応じた通知信号を作成して、前記通知手段選択部に送信し、
前記通知手段選択部は、前記通知部の任意の通知手段を選択し、
前記通知部の選択された前記任意の通知手段は、前記通知信号を受信して、前記ＧＰＳデータの受信状態を通知することを特徴とするＧＰＳ受信通知装置。
【請求項２】
請求項１に記載のＧＰＳ受信通知装置において、前記通知部の前記通知手段は、視覚通知手段、聴覚通知手段及び触覚通知手段のいずれか１つ以上を有することを特徴とするＧＰＳ受信通知装置。
【発明の詳細な説明】
【技術分野】
【０００１】
本発明は、携帯無線機に接続されるＧＰＳスピーカーマイクに、ＧＰＳデータの受信状況を通知するＧＰＳ受信通知装置に関する。
【背景技術】
【０００２】
複数の携帯無線機の移動状態を、基地局の固定無線機が捕らえて位置情報を得るために、ＧＰＳが利用されている。図３は、基地局側で携帯無線機の位置情報を得るための無線システムを示す無線システム構成図である。ＧＰＳスピーカーマイク１０は、ＧＰＳ受信機能を有し、携帯無線機２０に接続されて、ＧＰＳデータを基地局側へ送信する。基地局は、アンテナ３０と固定無線機４０とパソコン５０とを有する。携帯無線機２０から送信されたＧＰＳデータは、アンテナ３０を介して固定無線機４０により受信され、パソコン５０でＧＰＳデータは解析されて、携帯無線機２０の位置情報が確定する。
【０００３】
図４は、従来のＧＰＳスピーカーマイク１０と携帯無線機２０とを構成するブロック図である。ＧＰＳスピーカーマイク１０は、ＧＰＳアンテナ１１とＧＰＳ受信部１２とスピーカー１７とマイク１４とを有する。携帯無線機２０は、制御マイコン２１と送受信部２２と送信表示部２５とを有する。ＧＰＳスピーカーマイク１０は、携帯無線機２０に接続されて、動作する。
【０００４】
ＧＰＳスピーカーマイク１０のＧＰＳ受信部１２は、ＧＰＳアンテナ１１を介して、天空のＧＰＳ衛星からＧＰＳデータを受信し、携帯無線機２０の制御マイコン２１へ送信する。制御マイコン２１は、ＧＰＳ受信部１２から受信したＧＰＳデータを、送受信部２２を介して基地局側の固定無線機４０へ送信し、送信表示部２５は、ＧＰＳデータが送信中であることを例えば表示ランプで表示する。スピーカー１７とマイク１４とは、基地局側との音声通信に使用される。
【０００５】
ＧＰＳデータの送信には、携帯無線機２０に予め設定を行い、一定時間間隔で自動送信する方法と、基地局の固定無線機４０から送信要求（ポーリング要求）を行い、携帯無線機２０がこれを受けて送信する方法との２通りの方法がある。いずれにおいても、携帯無線機２０は使用者の腰にベルトクリップで装着されているため、作業中にＧＰＳデータの送信状態を表示ランプで確認することが困難であった。このためＧＰＳ衛星のデータを受信できない場所にいるため、データを送信できない状態であっても、それを容易に確認できないため、基地局側から音声通信によるＧＰＳデータの受信不能の知らせによって初めて状況を判断するなどの問題があった。特許文献１には、ＧＰＳアンテナとスピーカーとマイクとを内蔵したスピーカーマイク装置を備えた携帯用無線機の記載がされている。
【特許文献１】特開平９−１３９６９１号公報
【発明の開示】
【発明が解決しようとする課題】
【０００６】
本発明は、このような問題を解決するためになされたものであり、その目的は、作業中においてもＧＰＳデータの受信状態を確認できるＧＰＳ受信通知装置を提供することにある。
【課題を解決するための手段】
【０００７】
本発明のＧＰＳ受信通知装置は、携帯無線機と、携帯無線機に接続されるＧＰＳスピーカーマイクとにより、携帯無線機の位置を基地局へ知らせる無線システムにおけるＧＰＳ受信通知装置であって、携帯無線機は、送受信部と制御マイコンと受信状態検出部と通知手段選択部とを有し、ＧＰＳスピーカーマイクは、ＧＰＳアンテナとＧＰＳ受信機と通知部と通知部に含まれるスピーカーとマイクとを有し、制御マイコンは、ＧＰＳ受信部から受信したＧＰＳデータを基に、測位状態情報を取り出して受信状態検出部に送信し、受信状態検出部は、測位状態情報から検出したＧＰＳデータの受信状態に応じた通知信号を作成して、通知手段選択部に送信し、通知手段選択部は、通知部の任意の通知手段を選択し、通知部の選択された任意の通知手段は、通知信号を受信して、ＧＰＳデータの受信状態を通知することを特徴とする。
【０００８】
本発明のＧＰＳ受信通知装置の通知部の通知手段は、視覚通知手段、聴覚通知手段及び触覚通知手段のいずれか１つ以上を有することを特徴とする。
【発明の効果】
【０００９】
本発明によれば、作業中においてもＧＰＳデータの受信状態を確認できるＧＰＳ受信通知装置を提供するため、ＧＰＳデータを受信できない状態をいち早く察知することが可能となり、ＧＰＳデータが長時間にわたって途絶えるトラブルを回避して送信を維持することができる。
【発明を実施するための最良の形態】
【００１０】
本発明によるＧＰＳ受信通知装置の実施の形態について、図を用いて説明する。ＧＰＳスピーカーマイクが携帯無線機に接続されて機能するため、ＧＰＳ受信通知装置の構成要素は、それら両方に配備されて構成されている。図１は、本発明によるＧＰＳ受信通知装置の回路ブロック図である。図１ａのＧＰＳスピーカーマイク１０は、ＧＰＳアンテナ１１とＧＰＳ受信部１２と通知部１３とマイク１４とを有している。携帯無線機２０は、制御マイコン２１と送受信部２２と受信状態検出部２３と通知手段選択部２４とを有している。ＧＰＳ受信通知装置１００は、制御マイコン２１と受信状態検出部２３と通知手段選択部２４と通知部１３とから構成される。
【００１１】
図１ａにおいて、ＧＰＳスピーカーマイク１０のＧＰＳ受信部１２は、ＧＰＳアンテナ１１を介して、天空のＧＰＳ衛星からＧＰＳ信号を受信し、ＧＰＳデータ化して、携帯無線機２０の制御マイコン２１へ送信し、制御マイコン２１は、ＧＰＳ受信部１２から受信したＧＰＳデータを、送受信部２２を介して基地局側の固定無線機４０へ送信する動作は、図４の場合と同じである。
【００１２】
図２は、ＧＰＳ受信部が、ＧＰＳ信号からＧＰＳデータ化したＧＰＳデータフォーマットである。図２において、ＧＰＳデータフォーマットは、世界協定時、測位状態、緯度、北緯／南緯、経度、東経／西経、速度、針路及び日付の９項目で構成されている。また測位状態の項は、ＧＰＳの測位が行われたことを示すＡ状態と、測位ができなかったことを示すＶ状態とから構成されている。従って、携帯無線機２０に予め設定を行い一定時間間隔でＧＰＳデータを自動送信するか、基地局の固定無線機４０からの送信要求（ポーリング要求）を受けてＧＰＳデータを送信するかのいずれにおいても、第２項の測位状態にはＡ、Ｖのいずれかが設定されて、測位状態が送信されている。
【００１３】
再び図１ａにおいて、制御マイコン２１は、ＧＰＳデータの中から測位状態のデータを取り出して受信状態検出部２３へ送信する。受信状態検出部２３は、測位状態がＡ状態であるかＶ状態であるかを判別し、状態に応じた通知信号を作成して通知手段選択部２４へ送信する。通知手段選択部２４は、選択スイッチ（図示せず）により指定された通知部１３の通知手段へ通知信号を送信する。通知部１３の通知手段は、例えば視覚通知手段のＬＥＤ１５、触覚通知手段のバイブレータ１６及び聴覚通知手段のスピーカー１７のいずれか又は１つ以上であっても良い。またスピーカー１７は、マイク１４と共に、基地局側との音声通信に使用される。
【００１４】
通知部１３の通知手段への通知信号は、例えば測位が行われたＡ状態では、ＬＥＤ１５を連続して点灯させ、バイブレータ１６を連続して振動させ、スピーカー１７を１回目鳴動させ、測位ができなかったＶ状態では、ＬＥＤ１５を点滅させ、バイブレータ１６を間歇振動させ、スピーカー１７を複数回目鳴動させてもよい。またＬＥＤによる多色表示、さらにＬＣＤを設けてアイコンによる表示、あるいはバックライトの点灯により通知しても良い。ＧＰＳスピーカーマイク１０は、肩や腕に前向きにして装着されるため、作業中においても見易い、聞き易い、感じ易いという条件を満足する。従って、通知手段を目的に応じて組み合わせ選択して、用いることができる。
【００１５】
図１ｂは、制御マイコン２１、受信状態検出部２３及び通知手段選択部２４を、ＧＰＳスピーカーマイク１０側へ組み込んだ構成を示す。これにより、ＧＰＳ受信通知装置１００は、ＧＰＳスピーカーマイク１０内に独立して構成されるため、設計からメンテナンスまで一括して行うことができる。また、これにより送信部２２を独立して制御する場合は、制御マイコンをＧＰＳスピーカーマイク１０側と携帯無線機２０側とに別々に設けても良い。
【００１６】
以上説明したように、本発明によると、作業中においてもＧＰＳデータの受信状態を確認できるＧＰＳ受信通知装置により、ＧＰＳデータを受信できない状態をいち早く察知することが可能となり、その場合は、場所を移動することによりＧＰＳデータが長時間にわたって途絶えるトラブルを回避して送信を維持することができる。
【図面の簡単な説明】
【００１７】
【図１ａ】本発明によるＧＰＳ受信通知装置の回路ブロック図。
【図１ｂ】本発明によるＧＰＳ受信通知装置の回路ブロック図。
【図２】ＧＰＳ信号からＧＰＳデータ化されたＧＰＳデータフォーマット。
【図３】携帯無線機の位置情報を得るためのシステムを示す無線システム構成図。
【図４】従来のＧＰＳスピーカーマイクと携帯無線機とを構成するブロック図。
【符号の説明】
【００１８】
１０  ＧＰＳスピーカーマイク
１１  ＧＰＳアンテナ
１２  ＧＰＳ受信部
１３  通知部
１４  マイク
１５  ＬＥＤ
１６  バイブレータ
１７  スピーカー
２０  携帯無線機
２１  制御マイコン
２２  送受信部
２３  受信状態検出部
２４  通知手段選択部
３０  アンテナ
４０  固定無線機
５０  パソコン
１００  ＧＰＳ受信通知装置
【図１ａ】
2007170974.tif 000003
【図１ｂ】
2007170974.tif 000004
【図２】
2007170974.tif 000005
【図３】
2007170974.tif 000006
【図４】
2007170974.tif 000007